(57)【要約】【課題】  圧雪や凍結した雪であっても、シャベルの先端部を圧雪に突き刺して容易に圧雪を割ることができる除雪シャベルを提供することを第１の課題とする。また、衝撃荷重の作用する先端部が、容易に磨耗や折損することがない耐久性に優れた除雪シャベルを実現することを第２の課題とする。【解決手段】  シャベルの掬い部３の先端3aに、前記シャベルの掬い部底板3bと平行に複数の突起５を設ける。また、鉄鋼材料からなる前記突起５に表面硬化熱処理を施すことにより、耐摩耗性に富み、かつ耐久性にも優れた除雪シャベル１を実現する。【選択図】  図１
0003104264.tif 000002
【実用新案登録請求の範囲】
【請求項１】
シャベルの掬い部の先端に複数の突起を設けたことを特徴とする除雪シャベル。
【請求項２】
シャベルの掬い部の先端に前記シャベルの掬い部底板と平行に複数の突起を設けたことを特徴とする除雪シャベル。
【請求項３】
前記突起が鉄鋼材料からなり、前記突起に表面硬化熱処理を施したことを特徴とする請求項１または２記載の除雪シャベル。
【考案の詳細な説明】
【技術分野】
【０００１】
本考案は、除雪シャベルに関する。
【背景技術】
【０００２】
北陸地方や東北地方の日本海沿岸地域においては、冬季に多くの降雪がある。これらの地方では冬季の除雪にシャベルは必須の道具であり、各家庭には必ず何本かのシャベルが備えられている。従来の除雪シャベルは図４および図５に示すように、木製の柄２の一端に平面視が四角形の掬い部３を設けたものであり、掬い部３の先端3aは通常直線状に形成されている。もっとも土砂排除用のシャベルには先端が直線状ではなく、尖った槍形状を有するものもある。ただし、除雪用シャベルに限ると、掬い部の先端は直線状を有しているものに限られる。
【０００３】
このような掬い部の先端が直線状をしたシャベルを用いても新雪を排除する場合であれば何ら不都合はない。一般に新雪は密度が低く柔らかいため、直線状の先端を有する掬い部であっても、掬い部の先端により容易に新雪を仕切って掬い上げることができるからである。また、シャベルの掬い部は全体として皿形状を有するので、雪が解け出してシャーベット状になった場合でも除雪・排水作業ができるようになっている。
【考案の開示】
【考案が解決しようとする課題】
【０００４】
しかし、新雪時は軽い雪であっても、いったん人間や車両により踏み固められた後の圧雪は密度が高くなり表面も硬くなっている。そのため、掬い部の先端が直線状をした従来のシャベルの先端を圧雪に突き刺そうとしても、容易には圧雪に突き刺すことができないという問題がある。とりわけ圧雪が凍結している場合には、従来のシャベルを用いて圧雪に突き刺して割ろうとしても作業は困難を極める。従来のシャベルの掬い部底板の先端の断面形状は鋭角に尖ってはいるものの、圧雪に対してシャベルの先端部が線接触となることから、圧雪に対する掬い部先端の面圧は低下してしまい、線状に圧雪を割るだけの衝撃力が得られないという問題がある。
【０００５】
本考案は上記の事情に鑑みてなされたものであり、圧雪や凍結した雪であってもシャベルの先端により容易に圧雪に突き刺して割ることができる除雪シャベルを提供することを第１の課題とする。また、大きな衝撃荷重の作用する先端部が容易に磨耗や折損することがない耐久性に優れた除雪シャベルを提供することを第２の課題とする。
【課題を解決するための手段】
【０００６】
請求項１記載の考案に係る除雪シャベルは、シャベルの掬い部の先端に複数の突起を設けたことを特徴とするものである。
【０００７】
請求項２記載の考案に係る除雪シャベルは、シャベルの掬い部の先端に前記シャベルの掬い部底板と平行に複数の突起を設けたことを特徴とするものである。
【０００８】
請求項３記載の考案に係る除雪シャベルは、請求項１または２記載の除雪シャベルにおいて、前記突起が鉄鋼材料からなり、前記突起に表面硬化熱処理を施したことを特徴とするものである。
【考案の効果】
【０００９】
請求項１および２記載の考案に係る除雪シャベルによれば、圧雪や凍結した雪であってもシャベルの先端部により比較的容易に雪を割ることができるので、除雪作業の肉体的負担を軽減することができる。また、除雪作業の作業能率が向上し、短時間で除雪を終了することができる。
【００１０】
請求項３記載の考案に係る除雪シャベルによれば、衝撃荷重が作用する突起の表面硬度が高いので、突起の磨耗や変形を防止することができる。さらに、突起の表面だけが硬化されており内部は靭性を有するので衝撃荷重によっても突起が折損することがなく、耐久性に優れた除雪シャベルを実現することができる。
【考案を実施するための最良の形態】
【００１１】
本考案に係る除雪シャベル１の実施の形態を図１〜図３に基づいて説明する。図１は本考案に係る除雪シャベル１の実施例を示す平面図であり、図２は側面図である。また、図３は本考案に係る除雪シャベル１の使用状態を示す図面である。木製または合成樹脂製の柄２の一端には雪を掬うシャベルの掬い部３が固定されており、柄２の他端は掌で握ることができるように二股分岐された端部に握り柄４が固定されている。
【００１２】
本考案に係る除雪シャベル１が従来の除雪シャベルと大きく異なるのはシャベルの掬い部３の先端3a部分である。シャベルの掬い部３は鉄板等の金属材料から製作されており、板厚はさほど厚くないものの、全体形状を皿状にすることにより、掬い部３全体として高い剛性を確保している。
【００１３】
掬い部３の先端3aには複数の突起５が設けられている。また、各突起５は全体形状が棒状を有しており、掬い部底板3bの裏面に溶接などの固着手段により固定されている。突起５のシャベル掬い部３への固着の際には、突起５の長手方向とシャベルの掬い部底板3bとが平行になるようにして固着する。このことにより突起５とシャベルの掬い部底板3bとを強固に固着することができるし、突起５からシャベルの掬い部底板3bに伝達される衝撃力が効果的に伝わるので、突起５に大きな衝撃力が加わった場合であっても突起５がシャベルの掬い部底板3bから離脱したり折損したりすることを防止できる。
【００１４】
図１に示す実施例においては、シャベルの掬い部底板3bの先端3aに５本の突起５を固着しているが、通常の大きさを有する除雪シャベル１であれば、突起５の本数は３本から１０本程度が好適である。しかし、突起５の本数は除雪シャベル１の大きさに応じて適宜選択して固着することができる。突起５がシャベルの掬い部３の先端3aから突出する長さは、通常数センチメートルで充分である。前記突出する長さが長すぎると突起５の剛性が低下し、突起５の折損等の障害が発生するため、突起５は長すぎないようにする必要がある。一方、突起５の長さが短すぎると、突起としての役割を充分果たし得ないこともある。したがって、突起５の長さは長すぎても短すぎても不都合である。
【００１５】
シャベルの掬い部３に固着する棒状の突起５の先端5aは錐状に尖っている。そのことにより硬くなった圧雪６や凍結した雪であっても圧雪６等に突起５を突き刺して容易に割ることができる。また、シャベルの掬い部３の先端3aに固着する突起５の本数と、突起５の相互間隔はシャベルの大きさを考慮して適宜決定することができる。また、複数の突起５を１本毎に掬い部３に固着する替わりに、複数の突起５をプレス加工等により一部品として製作し、該部品をシャベルの掬い部の先端3aに一体として固着することもできる。
【００１６】
また、突起５の材料として炭素鋼を用い、高周波熱処理などにより突起５の表面部分のみを硬化させ、内部は硬化することなく靭性に富んだ状態にすることができる。このような表面処理を施すことにより、突起５に大きな衝撃荷重が加わっても突起５が磨耗や折損するのを防止することができる。また、突起５の材料として低炭素鋼を用い、浸炭焼き入れ焼き戻し処理を行っても同様の効果を奏することができる。したがって。このような表面処理を施した突起５を用いると、大きな衝撃荷重が突起５に作用しても突起５の先端5aが容易に磨耗や折損することがない耐久性に優れた除雪シャベル１を実現することができる。
【００１７】
なお、本考案は上記した実施例に限定されるものではなく、考案の技術的思想を共通にして種々の変形実施をすることが可能である。たとえば、上記の実施例においては、掬い部の裏面に突起を固着しているが、突起を掬い部の表面に固着してもよい。
【図面の簡単な説明】
【００１８】
【図１】本考案に係る除雪シャベルの実施例を示す平面図である。
【図２】本考案に係る除雪シャベルの実施例を示す側面図である。
【図３】本考案に係る除雪シャベルの使用状態を示す図面である。
【図４】従来の除雪シャベルを示す平面図である。
【図５】従来の除雪シャベルを示す側面図である。
【符号の説明】
【００１９】
１  除雪シャベル（シャベル）
３  掬い部
3a  先端（掬い部先端）
3b  掬い部底板
５  突起
【図１】
0003104264.tif 000003
【図２】
0003104264.tif 000004
【図３】
0003104264.tif 000005
【図４】
0003104264.tif 000006
【図５】
0003104264.tif 000007